(57)【要約】      （修正有）【課題】回転運動を阻止し、落下防止できる薬物送達デバイスを提供する。【解決手段】薬物送達デバイスは、回転軸の周りに回転可能な外部ハウジング及び少なくとも１つのストップ部材４を含む。ストップ部材４は、薬物送達デバイスの外部ハウジングから放射状に突出し、所定の表面に沿った薬物送達デバイスの回転運動を阻止するように構成される。外部ハウジングは、主ハウジング２ｂ及び投与部材３を含む。投与部材３は、投与量の薬物を設定及び／又は送達する場合、主ハウジング２ｂに対して移動可能である。ストップ部材４は、第１パーツ５及び第２パーツ６を含み、ここで、第１パーツ５は主ハウジング２ｂ上に配置され、第２パーツ６は投与部材３上に配置される。【選択図】図２
2015119999.tif 000002
【特許請求の範囲】
【請求項１】
薬物送達デバイス（１）であって：
回転軸の回りに回転可能な外部ハウジング（２ａ）及び少なくとも１つのストップ部材（４）を含み、ここで、ストップ部材（４）は薬物送達デバイス（１）の外部ハウジング（２ａ）から放射状に突出し、そしてここで、ストップ部材（４）は所定の表面（７）に沿った薬物送達デバイス（１）の回転運動を阻止するように構成され、ここで、外部ハウジング（２ａ）は主ハウジング（２ｂ）及び投与部材（３）を含み、ここで、投与部材（３）は投与量の薬物を設定及び／又は送達する場合に主ハウジング（２ｂ）に対して移動可能であり、そしてここで、ストップ部材（４）は第１パーツ（５）及び第２パーツ（６）を含み、ここで、第１パーツ（５）は主ハウジング（２ｂ）上にそして第２パーツ（６）は投与部材（３）上に配置される、薬物送達デバイス。
【請求項２】
請求項１に記載の薬物送達デバイス（１）であって、ストップ部材（４）が外部ハウジング（２ａ）から放射状に少なくとも０．７５ｍｍ突出する、薬物送達デバイス（１）。
【請求項３】
請求項１または２に記載の薬物送達デバイス（１）であって、ストップ部材（４）が回転軸に沿って１．０ｃｍまたはそれ以下に伸長する、薬物送達デバイス（１）。
【請求項４】
請求項１〜３のいずれか１項に記載の薬物送達デバイス（１）であって、ストップ部材（４）が外部ハウジング（２ａ）の外部表面に沿ってそして回転軸に対して横に０．５ｃｍ又はそれ以下に伸長する、薬物送達デバイス（１）。
【請求項５】
請求項１〜４のいずれか１項に記載の薬物送達デバイス（１）であって、ストップ部材（４）が薬物送達デバイス（１）の外部ハウジング（２ａ）から見て外方に向く１つの面（１３）を含み、そしてここで、その面（１３）は平面である、薬物送達デバイス（１）。
【請求項６】
請求項１〜４のいずれか１項に記載の薬物送達デバイス（１）であって、ストップ部材（４）が薬物送達デバイス（１）の外部ハウジング（２ａ）から見て外方に向く１つの面（１３）を含み、そしてここで、その面（１３）は曲面である、薬物送達デバイス（１）。
【請求項７】
請求項１〜６のいずれか１項に記載の薬物送達デバイス（１）であって、第２パーツ（６）が、投与量が設定される前の投与部材（３）が初期状態にある場合、ストップ部材（６）の第１パーツ（５）の形状を持続するように構成される、薬物送達デバイス（１）。
【請求項８】
請求項１〜７のいずれか１項に記載の薬物送達デバイス（１）であって、ストップ部材（４）は、そのストップ部材（４）の第２パーツ（６）がストップ部材（４）の第１パーツ（５）と一直線にされる場合に薬物送達デバイス（１）の転がりを阻止するように構成される、薬物送達デバイス（１）。
【請求項９】
請求項１〜８のいずれか１項に記載の薬物送達デバイス（１）であって、投与部材（３）が、ストップ部材（４）の第２パーツ（６）に加えて、定義された数の突起部（１１）を含み、ここで、該突起部（１１）は該投与部材（３）の外部表面（１１）から放射状に突出し、そしてここで、ストップ部材（４）は、いずれの突起部（１１）が投与部材（３）から放射状に突出するよりも、さらに外部ハウジング（２ａ）から放射状に突出する、薬物送達デバイス（１）。
【請求項１０】
請求項１〜９のいずれか１項に記載の薬物送達デバイス（１）であって、薬物送達デバ
イス（１）が２つの区域（１６、１７）を含み、ここで、その区域（１６、１７）のそれぞれが定義された直径を有し、そしてここで、ストップ部材（４）はより大きな直径を有する区域（１７）に配置される、薬物送達デバイス（１）。
【請求項１１】
請求項１〜１０のいずれか１項に記載の薬物送達デバイス（１）であって、ストップ部材（４）が外部ハウジング（２ａ）の近位端の領域に配置される、薬物送達デバイス（１）。
【請求項１２】
請求項１〜１１のいずれか１項に記載の薬物送達デバイス（１）であって、キャップ（８）がそのデバイス（１）の遠位端を覆うために取り外し可能に取り付けられ、そしてここで、ストップ部材（４）は、デバイス（１）からキャップ（８）が取り外された場合、所定の表面（７）に沿ったデバイス（１）の転がりを阻止するように構成される、薬物送達デバイス（１）。
【請求項１３】
請求項１〜１２のいずれか１項に記載の薬物送達デバイス（１）であって、ストップ部材（４）がリブ様の形状である、薬物送達デバイス（１）。
【請求項１４】
請求項１〜１３のいずれか１項に記載の薬物送達デバイス（１）であって、薬物送達デバイス（１）がペン型デバイスである、薬物送達デバイス（１）。
【発明の詳細な説明】
【技術分野】
【０００１】
本開示は、薬物送達デバイスに関する。
【背景技術】
【０００２】
薬物送達デバイスは、チューブ状又はシリンダー状の形状を含むことができる。従ってそれらは、置かれた表面に対して意図しない回転運動をする傾向がある。もちろん、意図しない運動は、その薬物送達デバイスに損傷を与える危険性を高める。例えば、その装置は転がってそのテーブルの端から床に落下する可能性がある。このことは、その薬物送達デバイスを破壊する又はその部品を著しく破損する可能性がある。
【発明の概要】
【発明が解決しようとする課題】
【０００３】
本発明の目的は、改良された薬物送達デバイスを提供することである。
【課題を解決するための手段】
【０００４】
この目的は、独立クレームに記載された薬物送達デバイスによって達成される。さらなる特性は、従属クレームに記載される題材である。
【発明を実施するための形態】
【０００５】
１つの態様によると、回転軸の周囲を回転可能な外部ハウジング及び少なくとも１つのストップ部材を含む薬物送達デバイスが提供される。ストップ部材は、薬物送達デバイスの外部ハウジングから放射状に突き出ていてもよい。ストップ部材は、所定の表面に沿った薬物送達デバイスの回転運動を阻止するように構成されればよい。
【０００６】
外部ハウジングは、チューブ状又はシリンダー状の形状であればよい。チューブ状又はシリンダー状の形状の外部ハウジングであるため、薬物送達デバイスは特に、置かれた所定の表面に沿って転がりやすい。
【０００７】
好ましくは、ストップ部材は、デバイスを安定化する手段、即ち所定の表面に沿った薬物送達デバイスの意図しない回転運動に対する妨害部材として働くことによって、薬物送達デバイスの転がりを阻止及び／又は制限する手段を提供する。それ故、ストップ部材は、表面、例えばテーブルに沿った薬物送達デバイスの回転を阻止及び／又は制限する。従って、使用者が薬物送達デバイスをテーブルに置いた場合、テーブルに沿ってデバイスが転がるリスクを著しく低下させることができる。
【０００８】
好ましい実施態様では、ストップ部材は、外部ハウジングから放射状に少なくとも０．７５ｍｍ突出する。
【０００９】
好ましくは、ストップ部材は、外部ハウジングに関して高さを含み、そのストップ部材の高さは、薬物送達デバイスの意図しない回転運動を阻止するのに十分な大きさである。好ましくは、ストップ部材は、所定の表面に沿った薬物送達デバイスの転がりが、若干の勾配のある表面においても、又はその表面が例えば薬物送達デバイスの使用者が列車又は飛行機内に居る場合に起こり得る振動に曝された場合でも、阻止及び／又は制限される様に、外部ハウジングから突き出している。
【００１０】
１つの好ましい実施態様では、ストップ部材は、回転軸に沿って１．０ｃｍ又はそれ以下に伸長する。
【００１１】
好ましくは、回転軸に沿ったストップ部材の伸長は、所定の表面に沿った薬物送達デバイスの転がりを効果的に阻止するのに十分な大きさである。
【００１２】
更なる好ましい実施態様によれば、ストップ部材は、外部ハウジングの外表面に沿って、そして回転軸に対して横に、０．５ｃｍ又はそれ以下に伸長する。
【００１３】
薬物送達デバイスの外部ハウジングは、ストップ部材が突出する外表面を含む。好ましくは、その外表面に沿ってそして回転軸に対して横断するストップ部材の伸長（例えば、ストップ部材の方位角への伸長）は、薬物送達デバイスの意図しない転がりを効果的に阻止するのに好適である。
【００１４】
１つの好ましい実施態様によれば、ストップ部材は、薬物送達デバイスの外部ハウジングから見て外方に向く表面を含む。この表面は、平面でも曲面でもよい。
【００１５】
ストップ部材の表面が平面であるため、その表面は薬物送達デバイスのささえ面の働きができる。従って、ストップ部材は、回転を阻止するように適合させることができ、同時にささえ面を提供することができる。湾曲したストップ部材の表面は、デバイスの湾曲した外套表面に対して、平面の表面よりも良く適合させることができる。
【００１６】
１つの好ましい実施態様によれば、外部ハウジングは、主ハウジング及び投与部材を含む。投与部材は、薬物の投与量を設定及び／又は送達させる場合に、主ハウジングに対して可動であればよい。ストップ部材は、好ましくは、第１パーツ及び第２パーツを含み、そこで、第１パーツは主ハウジング上に配置され、第２パーツは投与部材上に配置される。従って、第２パーツは第１パーツに対して可動である。
【００１７】
好ましくは、薬物送達デバイスの投与部材は、そのデバイスの主ハウジングに対して軸方向に可動及び／又は回転可能である。それ故、ストップ部材の第２パーツは、ストップ部材の主ハウジング上に配置される第１パーツに対して可動及び／又は回転可能であってもよい。
【００１８】
１つの好ましい実施態様では、ストップ部材の第２パーツは、特に、投与量が設定される前で投与部材が初期状態にある場合には、第１パーツの形状を継続する様に構成される及び／又はストップ部材の第１パーツと一直線に並べられる。
【００１９】
初期状態では、投与部材は、投与量設定のための、主ハウジングに対する回転又は軸方向への移動はされなかった。従って、投与部材の初期状態では、ストップ部材の第１パーツは、好ましくはストップ部材の第２パーツと一直線に並べられる。
【００２０】
１つの好ましい実施態様によると、ストップ部材は、好ましくはストップ部材の第２パーツがストップ部材の第１パーツと一直線にされる場合にのみ、薬物送達デバイスの転がりを阻止する様に構成される。
【００２１】
１つの好ましい実施態様では、薬物送達デバイス、特に外部ハウジングは、それぞれが定義された直径を有する２つの区域を含む。２つの区域の直径は異なってもよい。ストップ部材は、より大きな直径を含む区域に都合よく配置される。
【００２２】
所定の表面に沿った薬物送達デバイスの意図しない転がりを効果的に阻止するために、ストップ部材は好ましくはより大きな直径を含む区域に置かれ、そしてそれは転がり傾向に対して最大トルクが働く区域である。
【００２３】
１つの好ましい実施態様では、ストップ部材は、外部ハウジングの近位端の領域に配置される。
【００２４】
１つの好ましい実施態様では、キャップが薬物送達デバイスに、該デバイスの遠位末端を覆うために、取り外し可能に取り付けられる。ストップ部材は、デバイスからキャップが取り外された場合、所定の表面に沿ったデバイスの転がりを阻止する様に構成されるのが好ましい。
【００２５】
好ましくは、キャップは、デバイスに取り付けられているときに薬物送達デバイスの転がりを阻止できるクリップを含む。従って、ストップ部材は、クリップが無いため、キャップがデバイスから取り外されていてデバイスが特に転がりやすい状態にある場合（に限って）、薬物送達デバイスの意図しない転がりを阻止する。
【００２６】
１つの好ましい実施態様によると、ストップ部材は、特に投与部材の初期状態では、リブ様の形状をとる。
【００２７】
リブ様の形状は、所定の表面に沿った薬物送達デバイスの意図しない転がりを阻止するのに好適である。
【００２８】
１つの好ましい実施態様によると、薬物送達デバイスは、ペン型デバイスである。
【００２９】
ペン型デバイスは、細長い形状であるため、特に意図しない回転運動をする傾向がある。
【００３０】
１つの好ましい実施態様によると、薬物送達デバイスは、回転軸の周囲を回転可能な外部ハウジング及び少なくとも１つのストップ部材を含んで提供され、ここで、ストップ部材は薬物送達デバイスの外部ハウジングから放射状に突き出し、所定の表面に沿った薬物送達デバイスの意図しない転がりを阻止するように構成される。
【００３１】
更なる特徴及び改良点は、以下の、添付した図面に関連した例示的な実施態様から明らかになる。
【図面の簡単な説明】
【００３２】
【図１】薬物送達デバイスの実施態様を、斜面図を基に概略図で示す。
【図２】図１の薬物送達デバイスの一部分のより詳細な図を、断面図を基に概略図で示す。
【図３】キャップの実施態様を、断面図を基に概略図で示す。
【００３３】
図中、類似の要素、同じ種類の要素及び全く同じ作動をする要素は、同じ参照番号が付される。
【００３４】
図１に戻って、薬物送達デバイス１は、外部ハウジング２ａを含む。外部ハウジング２ａは、主ハウジング２ｂ及び投与部材３を含む。図１はさらに、外部ハウジング２ａから突き出たストップ部材４を示す。ストップ部材４は、第１パーツ５及び第２パーツ６を含む。第１パーツ５は主ハウジング２ｂ上に配置され、第２パーツ６は投与部材３上に配置される。薬物送達デバイス１は、２つの区域の１６、１７、遠位端及び近位端並びにカートリッジホールダー１８を含む。デバイス１はさらに、該薬物送達デバイス１に沿って、特にその（主）縦軸に沿って、軸方向に伸長する回転軸を含む。デバイス１は、（所定の）表面７上に配置される。
【００３５】
投与部材３は、外部表面１１並びに突起部１２を有する。突起部１２及び／又はストップ部材４は、軸方向に配向されていてよい。突起部１２は、投与部材３の周辺、特にその表面１１に配置されればよい。
【００３６】
薬物送達デバイス１は、遠位端及び近位端を有する。遠位端は、矢印１４で示され、それは薬物送達デバイス１の投薬端に最も近い薬物送達デバイス１の末端を指す。近位端は、デバイス１の投薬端から最も離れたデバイス１の末端を指す。
【００３７】
薬物送達デバイス１は、ペン型のデバイス、特にペン型の注射器である。デバイス１は、使い捨て又は再使用可能であってもよく、固定した投与量の薬物、又は可変式で好ましくは使用者設定可能な投与量の薬物を投薬する様に構成されてもよい。
【００３８】
薬物送達デバイス１は、カートリッジホールダー１８を含み、それは外部ハウジング２ａに取り付けられ、好ましくは接着されればよい。カートリッジホールダー１８は、薬物が入ったカートリッジを含んでもよい。本明細書で使用される用語の「薬物」は、好ましくは最大で１５００Ｄａまでの分子量を有する少なくとも１つの薬学的に活性な化合物、又は薬学的に活性なペプチド、タンパク質、ＤＮＡ、ＲＮＡ、抗体、酵素、ホルモン、若しくはオリゴヌクレオチド、又はそれらの混合物を含有する、好ましくは少なくとも１つのペプチド、さらに好ましくは糖尿病又は糖尿病性網膜症のような糖尿病に関連する合併症処置用のペプチド、特に好ましくはヒトインスリン又はヒトインスリン類似体若しくは誘導体、グルカゴン様のペプチド（ＧＬＰ−１）又はその類似体若しくは誘導体、又はエキセンジン−３又はエキセンジン−４、又はエキセンジン−３又はエキセンジン−４の類似体若しくは誘導体を含有する医薬製剤を意味する。
【００３９】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；位置Ｂ２８のプロリンがＡｓｐ、Ｌｙｓ、Ｌｅｕ、Ｖａｌ又はＡｌａで置き換えられ、そして位置Ｂ２９のＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン；及びＤｅｓ（Ｂ３０）ヒトインスリンである。
【００４０】
インスリン誘導体は、例えばＢ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン及びＢ２９−Ｎ−（ω−カルボキシヘプタデカノイル）ヒトインスリンである。
【００４１】
エキセンジン４は、好ましくはエキセンジン４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味
する。
【００４２】
エキセンジン４誘導体は、例えば次のリストの化合物：
Ｈ−（Ｌｙｓ）４−ｄｅｓＰｒｏ３６、ｄｅｓＰｒｏ３７エキセンジン−４（１−３９）−ＮＨ2；
Ｈ−（Ｌｙｓ）５−ｄｅｓＰｒｏ３６、ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４、Ａｓｐ２８］エキセンジン−４（１−３９）；
ｄｅｓＰｒｏ３６［Ｍｅｔ（Ｏ）１４、ＩｓｏＡｓｐ２８］エキセンジン−４（１−３９）；
ｄｅｓＰｒｏ３６［Ｔｒｐ（Ｏ２）２５、Ａｓｐ２８］エキセンジン−４（１−３９）；
ｄｅｓＰｒｏ３６［Ｔｒｐ（Ｏ２）２５、ＩｓｏＡｓｐ２８］エキセンジン−４（１−３９）；
ｄｅｓＰｒｏ３６［Ｍｅｔ（Ｏ）１４Ｔｒｐ（Ｏ２）２５、Ａｓｐ２８］エキセンジン−４（１−３９）；
ｄｅｓＰｒｏ３６［Ｍｅｔ（Ｏ）１４Ｔｒｐ（Ｏ２）２５、ＩａｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４、Ａｓｐ２８］エキセンジン−４（１−３９）；
ｄｅｓＰｒｏ３６［Ｍｅｔ（Ｏ）１４、ＩｓｏＡｓｐ２８］エキセンジン−４（１−３９）；
ｄｅｓＰｒｏ３６［Ｔｒｐ（Ｏ２）２５、Ａｓｐ２８］エキセンジン−４（１−３９）；
ｄｅｓＰｒｏ３６［Ｔｒｐ（Ｏ２）２５、ＩｓｏＡｓｐ２８］エキセンジン−４（１−３９）；
ｄｅｓＰｒｏ３６［Ｍｅｔ（Ｏ）１４Ｔｒｐ（Ｏ２）２５、Ａｓｐ２８］エキセンジン−４（１−３９）；
ｄｅｓＰｒｏ３６［Ｍｅｔ（Ｏ）１４Ｔｒｐ（Ｏ２）２５、ＩａｏＡｓｐ２８］エキセンジン−４（１−３９）；
ここで−Ｌｙｓ６−ＮＨ2基がエキセンジン−４誘導体のＣ−末端に結合してもよく；
【００４３】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８Ｐｒｏ３６、Ｐｒｏ３７、Ｐｒｏ３８エキセンジン−４（１−３９）−ＮＨ2；
Ｈ−（Ｌｙｓ）６−ｄｅｓＰｒｏ３６、Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６、Ｐｒｏ３７、Ｐｒｏ３８［Ａｓｐ２８］エキセンジン−４（１−３９）−ＮＨ2；
ｄｅｓＰｒｏ３６、Ｐｒｏ３７、Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６、Ｐｒｏ３７、Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６、Ｐｒｏ３７、Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５、Ａｓｐ２８］エキセンジ
ン−４（１−３９）−Ｌｙｓ６−ＮＨ2；
Ｈ−ｄｅｓＡｓｐ２８Ｐｒｏ３６、Ｐｒｏ３７、Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６、Ｐｒｏ３７、Ｐｒｏ３８［Ｔｒｐ（Ｏ２）２５、Ａｓｐ２８］エキセンジン−４（１−３９）−ＮＨ2；
Ｈ−Ａｓｎ−（Ｇｌｕ）５−ｄｅｓＰｒｏ３６、Ｐｒｏ３７、Ｐｒｏ３８［Ｔｒｐ（Ｏ２）２５、Ａｓｐ２８］エキセンジン−４（１−３９）−ＮＨ2；
ｄｅｓＰｒｏ３６、Ｐｒｏ３７、Ｐｒｏ３８［Ｔｒｐ（Ｏ２）２５、Ａｓｐ２８］エキセンジン−４（１−３９）−（Ｌｙｓ）６−ＮＨ2；
Ｈ−（Ｌｙｓ）６−ｄｅｓＰｒｏ３６、Ｐｒｏ３７、Ｐｒｏ３８［Ｔｒｐ（Ｏ２）２５、Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６、Ｐｒｏ３７、Ｐｒｏ３８［Ｔｒｐ（Ｏ２）２５、Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４、Ａｓｐ２８］エキセンジン−４（１−３９）−Ｌｙｓ６−ＮＨ2；
ｄｅｓＭｅｔ（Ｏ）１４Ａｓｐ２８Ｐｒｏ３６、Ｐｒｏ３７、Ｐｒｏ３８エキセンジン−４（１−３９）−ＮＨ2；
Ｈ−（Ｌｙｓ）６−ｄｅｓＰｒｏ３６、Ｐｒｏ３７、Ｐｒｏ３８［Ｍｅｔ（Ｏ）１４、Ａｓｐ２８］エキセンジン−４（１−３９）−ＮＨ2；
Ｈ−Ａｓｎ−（Ｇｌｕ）５−ｄｅｓＰｒｏ３６、Ｐｒｏ３７、Ｐｒｏ３８［Ｍｅｔ（Ｏ）１４、Ａｓｐ２８］エキセンジン−４（１−３９）−ＮＨ2；
ｄｅｓＰｒｏ３６、Ｐｒｏ３７、Ｐｒｏ３８［Ｍｅｔ（Ｏ）１４、Ａｓｐ２８］エキセンジン−４（１−３９）−（Ｌｙｓ）６−ＮＨ2；
Ｈ−（Ｌｙｓ）６−ｄｅｓＰｒｏ３６、Ｐｒｏ３７、Ｐｒｏ３８［Ｍｅｔ（Ｏ）１４、Ａｓｐ２８］エキセンジン−４（１−３９）−（Ｌｙｓ）６−ＮＨ2；
Ｈ−Ａｓｎ−（Ｇｌｕ）５ｄｅｓＰｒｏ３６、Ｐｒｏ３７、Ｐｒｏ３８［Ｍｅｔ（Ｏ）１４、Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４、Ｔｒｐ（Ｏ２）２５、Ａｓｐ２８］エキセンジン−４（１−３９）−Ｌｙｓ６−ＮＨ2；
Ｈ−ｄｅｓＡｓｐ２８Ｐｒｏ３６、Ｐｒｏ３７、Ｐｒｏ３８［Ｍｅｔ（Ｏ）１４、Ｔｒｐ（Ｏ２）２５］エキセンジン−４（１−３９）−ＮＨ2；
Ｈ−（Ｌｙｓ）６−ｄｅｓＰｒｏ３６、Ｐｒｏ３７、Ｐｒｏ３８［Ｍｅｔ（Ｏ）１４、Ａｓｐ２８］エキセンジン−４（１−３９）−ＮＨ2；
Ｈ−Ａｓｎ−（Ｇｌｕ）５−ｄｅｓＰｒｏ３６、Ｐｒｏ３７、Ｐｒｏ３８［Ｍｅｔ（Ｏ）１４、Ｔｒｐ（Ｏ２）２５、Ａｓｐ２８］エキセンジン−４（１−３９）−ＮＨ2；
ｄｅｓＰｒｏ３６、Ｐｒｏ３７、Ｐｒｏ３８［Ｍｅｔ（Ｏ）１４、Ｔｒｐ（Ｏ２）２５、Ａｓｐ２８］エキセンジン−４（１−３９）−（Ｌｙｓ）６−ＮＨ2；
Ｈ−（Ｌｙｓ）６−ｄｅｓＰｒｏ３６、Ｐｒｏ３７、Ｐｒｏ３８［Ｍｅｔ（Ｏ）１４、Ｔｒｐ（Ｏ２）２５、Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６、Ｐｒｏ３７、Ｐｒｏ３８［Ｍｅｔ（Ｏ）１４、Ｔｒｐ（Ｏ２）２５、Ａｓｐ２８］エキセンジン−４（１−３９）−（Ｌｙｓ）６−ＮＨ2；
又は、上述の何れかのエキセンジン−４誘導体の薬学的に許容される塩又は溶媒和物；
から選択される。
【００４４】
ホルモンは、好ましくは、Ｒｏｔｅ Ｌｉｓｔｅ、２００８年版、５０章に表示されて
いるような下垂体ホルモン又は視床下部ホルモン又は調節活性ペプチド及びそれらのアンタゴニストである。ホルモンの例としては、ゴナドトロピン（フォリトロピン、ルトロピン、コリオゴナドトロピン、メノトロピン）、ソマトロピン（ソマトロピン）、デスモプ
レシン、テルリプレシン、ゴナドレリン、トレプトレリン、ロイプロレリン、ブセレリン、ナファレリン、ゴセレリンがある。
【００４５】
薬学的に許容される塩は、例えば、酸付加塩及び塩基塩がある。酸付加塩としては、例えば、ＨＣｌ塩又はＨＢｒ塩がある。塩基塩は、例えばアルカリ又はアルカリ土類金属、例えばＮａ+、又はＫ+、又は、Ｃａ2+から選択されるカチオン、又はアンモニウムイオンＮ+（Ｒ１）（Ｒ２）（Ｒ３）（Ｒ４）を有する塩であり、ここで、Ｒ１〜Ｒ４は互いに
独立に、水素；場合により置換されたＣ１−Ｃ６アルキル基；場合により置換されたＣ２−Ｃ６アルケニル基；場合により置換されたＣ６−Ｃ１０アリール基、又は場合により置換されたＣ６−Ｃ１０ヘテロアリール基である。薬学的に許容される塩の更なる例は、「レミントンの薬学（Remington's Pharmaceutical Sciences）」１７版、Alfonso R. Gennaro（編集）, Mark Publishing社, Easton, Pa., U.S.A., 1885、及び「製薬技術辞典（Encyclopedia of Pharmaceutical Technology）に記載されている。
【００４６】
薬学的に許容される溶媒和物は、例えば水和物である。
【００４７】
薬物送達デバイス１は、更に、外部ハウジング２ａに対して移動可能なプランジャ及びプランジャシール（図１には非表示、図３のプランジャ１９を参照）を含む。プランジャ１９は、薬物の投与量をセットするために外部ハウジング２ａに対して近位方向に移動させることができ、そしてプランジャ１９は、投与量の薬物を送達させるために外部ハウジング２ａに対して遠位方向に移動させることができる。プランジャシールは、カートリッジとプランジャ１９の間に流体シールを作ることができ、それは薬物がカートリッジとプランジャ１９の間を移動できないことを意味する。
【００４８】
薬物送達デバイス１は、更に、注射針アセンブリ（図１には非表示）を含むことができ、それは、例えば針マウントに装着された注射針、注射針保持器及び／又は注射針シールを含む。注射針アセンブリは、カートリッジホールダー１８の遠位端に取付けられればよい。或いは、薬物送達デバイス１は、無針デバイスであってもよい。
【００４９】
外部ハウジング２ａは、回転軸の周囲を回転可能であればよい。外部ハウジング２ａは、図１に示される様に、チューブ状又はシリンダー状の形状を含んでもよい。外部ハウジング２ａは、図１に示すようなチューブ状の形状をしていてもよい主ハウジング２ｂ及び投与部材３を含む。投与部材３はさらに投与ボタンを含んでもよく、それは、投与量が設定された後に使用者によって薬物の投与量を送達させるために押すことができる。投与部材３は、薬物送達デバイス１の主ハウジング２ｂに対して軸方向に移動可能及び／又は回転可能であればよい。それによって、投与部材３は、薬物の投与量を設定するために、主ハウジング２ｂに対して近位方向に移動及び／又は回転することができる。その後、投与部材３は、前もって設定された投与量の薬物を送達するために、主ハウジング２ｂに対して遠位方向に移動及び／又は回転させることができる。投与部材３は、好ましくは、ネジ式で主ハウジング２ｂと係合される。薬物の投与量を設定する場合に投与部材３を主ハウジング２ｂに対して近位方向に移動させる距離は、次に投与される薬物の量を決定することができる。
【００５０】
ストップ部材４は、薬物送達デバイス１の外部ハウジング２ａから放射状に、即ち薬物送達デバイス１の回転軸に対して放射状に突出する。ストップ部材４は、外部ハウジング２ａに接続されてもよい。ストップ部材４は、表面７に対するデバイス１の意図しない転がりを阻止及び／又は制限する様に構成される。ストップ部材４は、デバイス１の安定した位置までの一定の転がりを容認する様に構成されてもよい。一旦安定した位置まで転がった後、薬物送達デバイス１は、表面７に沿った更なる転がりがストップ部材４によって阻止される。
【００５１】
この実施態様において、薬物送達デバイス１は、それぞれが定義された直径を含む１６、１７の２つの区域を含む。大きな直径の区域（この実施態様では、区域１７）は、外部ハウジング２ａの近位端の領域に配置される。
【００５２】
ストップ部材４は、より大きな直径を含む区域１７、即ち、ストップ部材４と表面７の相互作用によって薬物送達デバイス１の回転運動を制限及び／又は阻止するためにより大きなトルクの発生を可能にする区域、に配置される。好ましくは、ストップ部材４は、外部ハウジング２ａの近位端の領域に配置される。例えば、ストップ部材４は、リブ様の形状でもよい。
【００５３】
ストップ部材４は、外部ハウジング２ａから放射状に少なくとも０．７５ｍｍ突出すればよい。好ましくは、ストップ部材４は、外部ハウジング２ａから少なくとも１．０ｍｍ突出する。ストップ部材４は、外部ハウジング２ａから少なくとも１．５ｍｍ突出してもよい。たとえ薬物送達デバイス１が傾斜した表面７上に配置された場合でも、この種のストップ部材４は、デバイス１の回転運動を阻止するために、なお好適であり得る。
【００５４】
この実施態様では、ストップ部材４は、回転軸と平行に１．０ｃｍ又はそれ以下、好ましくは０．７５ｃｍまたはそれ以下に伸長する（即ち、ストップ部材４の軸方向への伸長）。ストップ部材４は、外部ハウジング２ａの外部表面に沿って、そして回転軸に対して横に、０．５ｃｍ又はそれ以下に、好ましくは０．３ｃｍ又はそれ以下に伸長する（即ち、ストップ部材４の方位角への伸長）。
【００５５】
ストップ部材４の放射状の突出、軸方向への伸長及び方位角への伸長は、そのデバイス１のデザイン、即ちその外観が過大に変わらない限り、表面７に沿った薬物送達デバイス１の転がりを効果的に阻止するために好適でなければならない。
【００５６】
また、ストップ部材４の、放射状の突出、軸方向への伸長及び方位角への伸長は、表面７の一定の傾斜でもなお、薬物送達デバイス１の転がりを効果的に阻止するために好適でなければならない。好ましくは、ストップ部材４は、表面７に沿った意図しない薬物送達デバイス１の転がりを、地表に対する表面７の傾斜が最大１０°まで阻止する。さらに又は代りに、ストップ部材４は、定義された表面７が移動及び／又は振動する場合、例えばデバイス１の使用者が列車又は飛行機内に居る場合、デバイス１の転がりを阻止するために好適でなければならない。
【００５７】
ストップ部材４は、一つの面、それは、外部ハウジング２ａから見て外方に向く（図２の表面１３を参照）、を含んでもよい。１つの実施態様において、ストップ部材４の該表面１３は平面であってもよい。そのため、表面１３は、薬物送達デバイス１を所定の表面７に表面１３を使って接触させて所定の表面７に置く場合、薬物送達デバイス１のささえ面として働くことができる。その支持部材としての機能に加えて、ストップ部材４は、勿論、前記したように、表面７に沿った薬物送達デバイス１の転がりを阻止及び／又は制限する保護及び／又は安定化部材としての機能を果たすことができる。これは、この実施態様において、ストップ部材４は、薬物送達デバイス１を回転させ、目的の位置で留まらせてもよいことを意味する。一旦目的の位置まで転がると、ストップ部材４は表面７に沿ったデバイス１のさらなる転がりを阻止し、デバイス１は、所定の表面７に面したささえ面１３を使って安定な位置でとどまる。
【００５８】
別の実施態様において、ストップ部材の表面１３は、湾曲していてもよい。
【００５９】
示された実施態様において、ストップ部材４は、第１パーツ５及び第２パーツ６を含む
。第１パーツは主ハウジング２ｂ上に備えられる、即ち、主ハウジング２ｂから放射状に突き出す。第２パーツ６は、投与部材３上に備えられる、即ち、投与部材３から放射状に突き出す。従って、第２パーツ６は、ストップ部材４の第１パーツ５に対して可動及び／又は回転可能である。
【００６０】
好ましくは、投与部材３は初期状態を含み、そのとき、投与部材３は主ハウジング２ｂに対して回転されていない（即ち、投与部材３は、薬物の投与量が設定される前の状態である）。それ故、投与部材３の初期状態においては、ストップ部材４の第２パーツ６は、ストップ部材の第１パーツ５に対して回転されていない。
【００６１】
投与部材３の初期状態においては、ストップ部材４の第２パーツ６は、ストップ部材４の第１パーツ５を持続する、例えば、ストップ部材４の第１パーツ５が延長する。従って、ストップ部材４の第２パーツ６は、ストップ部材４の第１パーツ５と一直線になる。好ましくは、ストップ部材４は、ストップ部材４の第２パーツ６がストップ部材の第１パーツ５と一直線にされる場合のみ、即ち投与部材３が初期状態にある場合にのみ、薬物送達デバイス１の意図しない転がりを阻止する。
【００６２】
薬物送達デバイス１は、さらに薬物送達デバイス１の遠位端を覆うキャップ（図３のキャップ８を参照）を含んでもよい。該キャップ８は、薬物送達デバイス１に取り外し可能に取り付けられればよく、例えば、薬物送達デバイス１の外部ハウジング２ａに取り外し可能に取り付けできればよい。キャップ８は、前述の薬物送達デバイス１の注射針アセンブリ（図１には非表示）を覆うように構成されればよい。キャップ８は、その注射針アセンブリを破損及び／又は汚染から防止することができる。デバイス１に取り付けられた場合、キャップ８は外部ハウジング２ａに対して回転できなくてもよい。キャップ８を外部ハウジング２ａから取り外すためには、使用者は、そのキャップ８を軸方向に外部ハウジング２ａに対して遠位方向に移動させ、そしてキャップ８を外部ハウジング２ａに取り付けるためには、使用者は、キャップ８を軸方向に外部ハウジング２ａに対して近位方向に移動させればよい。キャップ８は、例えば係合機構を用いて外部ハウジング２ａに取り付け可能であればよい。デバイス１に取り付けられる場合、キャップ８は、薬物送達デバイス１に対して回転式にロックされればよい。好ましくは、キャップ８は、クリップ（図３のクリップ１０を参照）を含み、ここでそのクリップ１０はキャップ８から突出し、そしてそのクリップ１０は薬物送達デバイス１の回転移動を阻止するのに好適であればよい。
【００６３】
好ましくは、ストップ部材４は、キャップ８が、従って、またクリップ１０がデバイスから取り外される場合にのみ、所定の表面７に沿ったデバイス１の転がりを阻止する様に構成される。キャップ８が、従って、クリップ１０が取り除かれてしまった場合、特に、薬物送達デバイス１は所定の表面７に関して意図しない転がりを起こしやすい。特に、注射針は比較的保護されていない可能性があるため、キャップ８無しの意図しない動きは危険であり、使用者の偶発的な突き刺しの危険性が高まる。従って、ストップ部材４は、キャップ８が薬物送達デバイス１から取り外された場合、デバイス１の転がりを阻止及び／又は制限するために特に有利である。
【００６４】
この実施態様では、投与部材３は突起部１２、例えば、リブ状のものを含み、それは該投与部材３の外部表面１１から放射状に突出する。突起部１２は、使用者が投与部材３を握り、薬物の投与量を設定及び／又は送達するために主ハウジング２ｂに対して投与部材３を動かす及び／又は回転させるのを援助することができる。
【００６５】
好ましくは、突起部１２は、薬物送達デバイス１の回転軸に沿って配向される。突起部１２は、投与部材３の外部表面１１から定義された高さまで突出する。従って、定義された高さは異なる突起部１２によって変動してもよい。定義された高さは、投与部材３の外
部表面１２に対して０．５ｍｍまでの高さになる。
【００６６】
ストップ部材４は、外部ハウジング２ａからさらに放射状に突出する、即ち、突起部１２が投与部材３の外部表面１１から突出するよりも、ストップ部材４の第２パーツ６は投与部材３からさらに突出し、そしてストップ部材４の第１パーツ５は主ハウジング２ｂからさらに突出する。好ましくは、ストップ部材４は、外部ハウジング２ａから放射状に少なくとも１．０ｍｍ突出する（即ち、ストップ部材４の第２パーツ６は投与部材３から放射状に少なくとも１．０ｍｍ突出し、そしてストップ部材４の第１パーツ５は主ハウジング２ｂから放射状に少なくとも１．０ｍｍ突出する、好ましくは、第２パーツ６及び第１パーツ５は外部ハウジング２ａから同じ距離に突出する）。
【００６７】
図２は、図１の薬物送達デバイスの一部分のより詳細な図を、断面図を基に略図的に示す。
【００６８】
図２は、図１の薬物送達デバイスの近位端をより詳細に示す図であり、それは、主ハウジング２ｂの近位端の断面図を含み、さらに投与部材３及び円で囲まれた第１パーツ５及び第２パーツ６を含むストップ部材４を含む。図２はさらにストップ部材４の表面１３を示し、ここで、表面１３は薬物送達デバイスの外部ハウジング２ａから見て外方に向く、即ち、表面１３は投与部材３及び主ハウジング２ｂから見て外方に向く。
【００６９】
図２は、基本的に図１と同じである。特に、図２は初期状態の投与部材３を示す。従って、ストップ部材４の第２パーツ６はストップ部材４の第１パーツ５と一直線に並ぶ。第２パーツ６は、ストップ部材４の第１パーツ５を持続する。これは、表面７に関する回転運動に対してデバイス１を安定化させるストップ部材４の能力を強化する。好ましくは、ストップ部材４は、ストップ部材４の第２パーツ６がストップ部材４の第１パーツ５と一直線に並ぶ場合に限り、デバイス１の転がりを阻止する。
【００７０】
図２において、ストップ部材４の第２パーツ６は、ストップ部材４の第１パーツ５よりも大きな軸方向の伸長を含む。あるいはまた、第１パーツ５は、第２パーツ６よりも大きな軸方向の伸長を含んでもよく、又は、第２パーツ６に等しい軸方向の伸長を有してもよい。ストップ部材４の第１パーツ５及びストップ部材４の第２パーツ６の合計の軸方向の伸長、即ち、ストップ部材４の全体の軸方向の伸長は、図１に関して説明したように合計１．０ｃｍの最大サイズになればよく、所定の表面７に沿ったデバイス１の転がりを、若干の傾斜表面７においてさえ、阻止するのに好適でなければならない。ストップ部材４の放射状の突出、軸方向及び方位角の伸長についての同じ数値が、図１に関して述べた通りに適用される。
【００７１】
図３は、キャップの実施態様を、断面図を基に概略図で示す。
【００７２】
図３は、本体９及びクリップ１０を含むキャップ８を示す。また、図３は、プランジャ１９を示す。プランジャ１９は、図１の記載に関して既に説明したように、外部ハウジング２ａに対して移動することができる。
【００７３】
キャップ８は、前述の薬物送達デバイス１（図３には非表示）に、該薬物送達デバイス１の遠位端を覆って、取り外し可能に取り付けできればよい。キャップ１０は、薬物送達デバイス１に取り付けられる場合、薬物送達デバイス１の外部ハウジング２ａに対して回転式にロックされればよい。
【００７４】
キャップ８は、キャップ８に沿って軸方向に伸長するクリップ１０を含む。クリップ１０は、クリップ１０が放射状に外側に曲がるようにするために、柔軟な部分を含んでもよ
い。使用者は、そのクリップ１０を使って薬物送達デバイス１を、例えばそのデバイス１を保管及び／又は運搬するために、例えば上着のポケットのようなポケットに取り付けることができる。
【００７５】
クリップ１０は、キャップ８の本体９から突出する。従って、クリップ１０は、本体８と一体的に形成されてもよい、又は本体９と連結した別の部材でもよい。
【００７６】
クリップ１０は、ストップ部材４が薬物送達デバイス１の外部表面２ａから放射状に突出するよりも、キャップ８の本体９から放射状にさらに突出する。それ故、クリップ１０は、薬物送達デバイス１に取り付けられた場合、表面７（図３には非表示）に沿った前述の薬物送達デバイス１の転がりを阻止する妨害要素として働くことができる。従って、キャップ８が、従って、クリップ１０がデバイス１から取り除かれてしまった場合、特に、薬物送達デバイス１は所定の表面７に沿った意図しない転がりを起こしやすい。それ故、ストップ部材４は、好ましくは、キャップ１０が薬物送達デバイス１から取り外された場合にのみ、デバイス１の転がりを阻止及び／又は制限する。
【００７７】
その他の組み立ては、以下の請求項の範囲内にある。異なる組み立ての構成要素は、本文に具体的に記載されていない組み立てを形成するために組み合わせることができる。
【００７８】
参照数字
１：薬物送達デバイス
２ａ：外部ハウジング
２ｂ：主ハウジング
３：投与部材
４：ストップ部材
５：ストップ部材の第１パーツ
６：ストップ部材の第２パーツ
７：表面
８：キャップ
９：本体
１０：クリップ
１１：外部表面
１２：突出部
１３：表面
１４：遠位端
１５：近位端
１６：区域
１７：区域
１８：カートリッジホールダー
１９：プランジャ
【図１】
2015119999.tif 000003
【図２】
2015119999.tif 000004
【図３】
2015119999.tif 000005
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
薬物送達デバイス（１）であって、
回転軸の回りに回転可能な外部ハウジング（２ａ）と少なくとも１つのストップ部材（４）を含み、ここで、ストップ部材（４）は、薬物送達デバイス（１）の外部ハウジング（２ａ）から放射状に突出し、そして、ストップ部材（４）は、所定の表面（７）に沿った薬物送達デバイス（１）の回転運動を阻止するように構成されている、薬物送達デバイス。
【請求項２】
請求項１に記載の薬物送達デバイス（１）であって、キャップ（８）が、その遠位端を覆うために薬物送達デバイス（１）に取り外し可能に取り付けられ、ストップ部材（４）が、薬物送達デバイス（１）からキャップ（８）が取り外された場合、所定の表面（７）に沿った薬物送達デバイス（１）の転がりを阻止するように構成されており、そしてキャップ（８）は、該キャップが薬物送達デバイス（１）に取り付けられた場合、その転がりを阻止するクリップ（１０）を含む、薬物送達デバイス（１）。
【請求項３】
請求項２に記載の薬物送達デバイス（１）であって、ストップ部材（４）が、デバイス（１）からキャップ（８）が取り外された場合にのみデバイス（１）の転がりを阻止する、薬物送達デバイス（１）。
【請求項４】
請求項２又は３に記載の薬物送達デバイス（１）であって、該デバイスに取り付けられた場合、キャップ（８）が、薬物送達デバイス（１）に対して回転式にロックされている、薬物送達デバイス（１）。
【請求項５】
請求項２〜４のいずれか１項に記載の薬物送達デバイス（１）であって、ストップ部材（４）が、薬物送達デバイス（１）の外側表面から放射状に突出するよりも、クリップ（１０）が、さらにキャップ（８）の本体（９）から放射状に突出している、薬物送達デバイス（１）。
【請求項６】
請求項１〜５のいずれか１項に記載の薬物送達デバイス（１）であって、外部ハウジン
グ（２ａ）が、２つの区域（１６、１７）を含み、ここで、その区域（１６、１７）のそれぞれが定義された直径を有し、該２つの区画の直径が異なっており、そして、ストップ部材（４）がより大きな直径を有する区域に配置される、薬物送達デバイス（１）。
【請求項７】
請求項１〜６のいずれか１項に記載の薬物送達デバイス（１）であって、該デバイスが、外部ハウジング（２ａ）に取り付けられているカートリッジホルダー（１８）を含み、該カートリッジホルダーは、薬物を含むカートリッジを含む、薬物送達デバイス（１）。
【請求項８】
請求項１〜７のいずれか１項に記載の薬物送達デバイス（１）であって、外部ハウジング（２ａ）が、主ハウジング（２ｂ）と投与部材（３）を含み、ここで薬物の投与量を設定するとき、投与部材（３）は、主ハウジング（２ｂ）に対して移動可能であり、そしてストップ部材（４）が、第１パーツ（５）と第２パーツ（６）を含み、ここで第１パーツ（５）が、主ハウジング（２ｂ）上に配置され、第２パーツ（６）が、投与部材（３）上に配置されている、薬物送達デバイス（１）。
【請求項９】
請求項８に記載の薬物送達デバイス（１）であって、ストップ部材（４）の第２パーツ（６）が、ストップ部材（４）の第１パーツ（５）に対して、軸方向に移動可能であり、且つ回転可能である、薬物送達デバイス（１）。
【請求項１０】
請求項８又は９に記載の薬物送達デバイス（１）であって、ストップ部材（４）の第２パーツ（６）が、投与量が設定される前の投与部材（３）が初期状態にある場合、ストップ部材（４）の第１パーツ（５）と一直線にされる、薬物送達デバイス（１）。
【請求項１１】
請求項１０に記載の薬物送達デバイス（１）であって、初期状態にある場合、ストップ部材（４）の第２パーツ（６）が、第１パーツ（５）と継続する、薬物送達デバイス（１）。
【請求項１２】
請求項８〜１１のいずれか１項に記載の薬物送達デバイス（１）であって、投与部材（３）が、主ハウジング（２ｂ）とネジ式に係合される、薬物送達デバイス（１）。
【請求項１３】
請求項１〜１２のいずれか１項に記載の薬物送達デバイス（１）であって、ストップ部材（４）が、リブ様の形状である、薬物送達デバイス（１）。
【請求項１４】
請求項１〜１３のいずれか１項に記載の薬物送達デバイス（１）であって、薬物送達デバイス（１）が、ペン型デバイスである、薬物送達デバイス（１）。
【外国語明細書】
2015119999000001.pdf